(57)【特許請求の範囲】
【請求項１】
赤表示と緑表示と青表示と白表示とを利用するカラー画像表示を行うためのカラー画像処理装置であって，
入力されてくる前記赤表示を行うための入力赤信号Ｒｉｎと，入力されてくる前記緑表示を行うための入力緑信号Ｇｉｎと，入力されてくる前記青表示を行うための入力青信号Ｂｉｎとに基づき，白信号
（数１）
Ｗ＝ｍｉｎ（Ｒｉｎ，Ｇｉｎ，Ｂｉｎ）
を生成する白信号生成手段と，
前記入力されてくる入力赤信号Ｒｉｎと，前記入力されてくる入力緑信号Ｇｉｎと，前記生成された白信号Ｗとに基づき，黄信号
（数２）
Ｙｅ＝ｍｉｎ（Ｒｉｎ−Ｗ，Ｇｉｎ−Ｗ）
を生成する黄信号生成手段と，
前記生成された白信号Ｗと，前記生成された黄信号Ｙｅとに基づき，出力されていく前記白表示を行うための第一の出力白信号Ｗｏｕｔ（１）を生成する第一の出力白信号生成手段とを備え、
前記第一の出力白信号生成手段は，所定の正の定数Ｋ１に対し，
（数３）
Ｗｏｕｔ（１）＝Ｗ＋Ｋ１・Ｙｅ
として，前記第一の出力白信号Ｗｏｕｔ（１）を生成するカラー画像処理装置。
【請求項２】
前記入力されてくる前記青表示を行うための入力青信号Ｂｉｎと，前記生成された黄信号Ｙｅと，前記生成された白信号Ｗとに基づき，出力されていく前記青表示を行うための出力青信号Ｂｏｕｔを生成する出力青信号生成手段をさらに備えた請求項１記載のカラー画像処理装置。
【請求項３】
前記出力青信号生成手段は，所定の正の定数Ｌ１に対し，
（数４）
Ｂｏｕｔ＝Ｂｉｎ−Ｌ１・Ｙｅ・Ｗ
として，前記出力青信号Ｂｏｕｔを生成する請求項２記載のカラー画像処理装置。
【請求項４】
前記入力されてくる入力緑信号Ｇｉｎと，前記入力されてくる入力青信号Ｂｉｎと，前記生成された白信号Ｗとに基づき，シアン信号
（数５）
Ｃｙ＝ｍｉｎ（Ｇｉｎ−Ｗ，Ｂｉｎ−Ｗ）
を生成するシアン信号生成手段と，
前記生成された第一の出力白信号Ｗｏｕｔ（１）と，前記生成されたシアン信号Ｃｙとに基づき，前記第一の出力白信号Ｗｏｕｔ（１）の代わりに出力されていく前記白表示を行うための第二の出力白信号Ｗｏｕｔ（２）を生成する第二の出力白信号生成手段とをさらに備えた請求項１記載のカラー画像処理装置。
【請求項５】
前記第二の出力白信号生成手段は，所定の正の定数Ｋ２に対し，
（数６）
Ｗｏｕｔ（２）＝Ｗｏｕｔ（１）＋Ｋ２・Ｃｙ
として，前記第二の出力白信号Ｗｏｕｔ（２）を生成する請求項４記載のカラー画像処理装置。
【請求項６】
前記入力されてくる前記赤表示を行うための入力赤信号Ｒｉｎと，前記生成されたシアン信号Ｃｙと，前記生成された第一の出力白信号Ｗｏｕｔ（１）とに基づき，出力されていく前記赤表示を行うための出力赤信号Ｒｏｕｔを生成する出力赤信号生成手段をさらに備えた請求項４記載のカラー画像処理装置。
【請求項７】
前記出力赤信号生成手段は，所定の正の定数Ｌ２に対し，
（数７）
Ｒｏｕｔ＝Ｒｉｎ−Ｌ２・Ｃｙ・Ｗｏｕｔ（１）
として，前記出力赤信号Ｒｏｕｔを生成する請求項６記載のカラー画像処理装置。
【請求項８】
前記入力されてくる入力青信号Ｂｉｎと，前記入力されてくる入力赤信号Ｒｉｎと，前記生成された白信号Ｗとに基づき，マゼンタ信号
（数８）
Ｍａ＝ｍｉｎ（Ｂｉｎ−Ｗ，Ｒｉｎ−Ｗ）
を生成するマゼンタ信号生成手段と，
前記生成された第二の出力白信号Ｗｏｕｔ（２）と，前記生成されたマゼンタ信号Ｍａとに基づき，前記第二の出力白信号Ｗｏｕｔ（２）の代わりに出力されていく前記白表示を行うための第三の出力白信号Ｗｏｕｔ（３）を生成する第三の出力白信号生成手段とをさらに備えた請求項４記載のカラー画像処理装置。
【請求項９】
前記第三の出力白信号生成手段は，所定の正の定数Ｋ３に対し，
（数９）
Ｗｏｕｔ（３）＝Ｗｏｕｔ（２）＋Ｋ３・Ｍａ
として，前記第三の出力白信号Ｗｏｕｔ（３）を生成する請求項８記載のカラー画像処理装置。
【請求項１０】
前記入力されてくる前記緑表示を行うための入力緑信号Ｇｉｎと，前記生成されたマゼンタ信号Ｍａと，前記生成された第二の出力白信号Ｗｏｕｔ（２）とに基づき，出力されていく前記緑表示を行うための出力緑信号Ｇｏｕｔを生成する出力緑信号生成手段をさらに備えた請求項８記載のカラー画像処理装置。
【請求項１１】
前記出力緑信号生成手段は，所定の正の定数Ｌ３に対し，
（数１０）
Ｇｏｕｔ＝Ｇｉｎ−Ｌ３・Ｍａ・Ｗｏｕｔ（２）
として，前記出力緑信号Ｇｏｕｔを生成する請求項１０記載のカラー画像処理装置。
【請求項１２】
赤表示と緑表示と青表示と白表示とを利用するカラー画像表示を行うためのカラー画像処理方法であって，
入力されてくる前記赤表示を行うための入力赤信号Ｒｉｎと，入力されてくる前記緑表示を行うための入力緑信号Ｇｉｎと，入力されてくる前記青表示を行うための入力青信号Ｂｉｎとに基づき，白信号
（数１）
Ｗ＝ｍｉｎ（Ｒｉｎ，Ｇｉｎ，Ｂｉｎ）
を生成する白信号生成ステップと，
前記入力されてくる入力赤信号Ｒｉｎと，前記入力されてくる入力緑信号Ｇｉｎと，前記生成された白信号Ｗとに基づき，黄信号
（数２）
Ｙｅ＝ｍｉｎ（Ｒｉｎ−Ｗ，Ｇｉｎ−Ｗ）
を生成する黄信号生成ステップと，
前記生成された白信号Ｗと，前記生成された黄信号Ｙｅとに基づき，出力されていく前記白表示を行うための第一の出力白信号Ｗｏｕｔ（１）を生成する第一の出力白信号生成ステップとを備え、
前記第一の出力白信号Ｗｏｕｔ（１）は，所定の正の定数Ｋ１に対し，
（数３）
Ｗｏｕｔ（１）＝Ｗ＋Ｋ１・Ｙｅ
として生成されるカラー画像処理方法。
【請求項１３】
前記入力されてくる前記青表示を行うための入力青信号Ｂｉｎと，前記生成された黄信号Ｙｅと，前記生成された白信号Ｗとに基づき，出力されていく前記青表示を行うための出力青信号Ｂｏｕｔを生成する出力青信号生成ステップをさらに備えた請求項１２記載のカラー画像処理方法。
【請求項１４】
前記入力されてくる入力緑信号Ｇｉｎと，前記入力されてくる入力青信号Ｂｉｎと，前記生成された白信号Ｗとに基づき，シアン信号
（数５）
Ｃｙ＝ｍｉｎ（Ｇｉｎ−Ｗ，Ｂｉｎ−Ｗ）
を生成するシアン信号生成ステップと，
前記生成された第一の出力白信号Ｗｏｕｔ（１）と，前記生成されたシアン信号Ｃｙとに基づき，前記第一の出力白信号Ｗｏｕｔ（１）の代わりに出力されていく前記白表示を行うための第二の出力白信号Ｗｏｕｔ（２）を生成する第二の出力白信号生成ステップとをさらに備えた請求項１２記載のカラー画像処理方法。
【請求項１５】
前記入力されてくる前記赤表示を行うための入力赤信号Ｒｉｎと，前記生成されたシアン信号Ｃｙと，前記生成された第一の出力白信号Ｗｏｕｔ（１）とに基づき，出力されていく前記赤表示を行うための出力赤信号Ｒｏｕｔを生成する出力赤信号生成ステップをさらに備えた請求項１４記載のカラー画像処理方法。
【請求項１６】
前記入力されてくる入力青信号Ｂｉｎと，前記入力されてくる入力赤信号Ｒｉｎと，前記生成された白信号Ｗとに基づき，マゼンタ信号
（数８）
Ｍａ＝ｍｉｎ（Ｂｉｎ−Ｗ，Ｒｉｎ−Ｗ）
を生成するマゼンタ信号生成ステップと，
前記生成された第二の出力白信号Ｗｏｕｔ（２）と，前記生成されたマゼンタ信号Ｍａとに基づき，前記第二の出力白信号Ｗｏｕｔ（２）の代わりに出力されていく前記白表示を行うための第三の出力白信号Ｗｏｕｔ（３）を生成する第三の出力白信号生成ステップとをさらに備えた請求項１４記載のカラー画像処理方法。
【請求項１７】
前記入力されてくる前記緑表示を行うための入力緑信号Ｇｉｎと，前記生成されたマゼンタ信号Ｍａと，前記生成された第二の出力白信号Ｗｏｕｔ（２）とに基づき，出力されていく前記緑表示を行うための出力緑信号Ｇｏｕｔを生成する出力緑信号生成ステップをさらに備えた請求項１６記載のカラー画像処理方法。
【請求項１８】
請求項１２記載のカラー画像処理方法の，入力されてくる前記赤表示を行うための入力赤信号Ｒｉｎと，入力されてくる前記緑表示を行うための入力緑信号Ｇｉｎと，入力されてくる前記青表示を行うための入力青信号Ｂｉｎとに基づき，白信号
（数１）
Ｗ＝ｍｉｎ（Ｒｉｎ，Ｇｉｎ，Ｂｉｎ）
を生成する白信号生成ステップと，
前記入力されてくる入力赤信号Ｒｉｎと，前記入力されてくる入力緑信号Ｇｉｎと，前記生成された白信号Ｗとに基づき，黄信号
（数２）
Ｙｅ＝ｍｉｎ（Ｒｉｎ−Ｗ，Ｇｉｎ−Ｗ）
を生成する黄信号生成ステップと，
前記生成された白信号Ｗと，前記生成された黄信号Ｙｅとに基づき，出力されていく前記白表示を行うための第一の出力白信号Ｗｏｕｔ（１）を生成する第一の出力白信号生成ステップとをコンピュータに実行させるためのプログラム。
【請求項１９】
請求項１８記載のプログラムを担持した記録媒体であって，コンピュータにより処理可能な記録媒体。
【発明の詳細な説明】
【技術分野】
【０００１】
本発明は，たとえば，直視型及び投射型のカラー画像表示用のデバイスとして利用されるカラー画像処理装置，カラー画像処理方法，プログラム，および記録媒体に関する。
【背景技術】
【０００２】
カラー画像表示装置においては，ＣＲＴ，ＬＣＤ（Ｌｉｑｕｉｄ  Ｃｒｙｓｔａｌ  Ｄｅｖｉｃｅ），ＤＬＰ（Ｄｉｇｉｔａｌ  Ｌｉｇｈｔ  Ｐｒｏｃｅｓｓｉｎｇ  Ｄｅｖｉｃｅ），ＰＤＰなどが使用される。
【０００３】
これらのカラー画像表示装置では，基本色として赤緑青の三原色が用いられるが，ＬＣＤディスプレイ，ＤＬＰプロジェクタの一部では，明るさを強調するために白も追加されることがある（たとえば，特許文献１参照）。
【０００４】
ここに，上記特許文献の全ての開示は，そっくりそのままここに引用（参照）することにより，一体化される。
【０００５】
たとえば，フィールド順次式のワンチップＤＬＰデータプロジェクタでは，赤緑青白の四色カラーホイールを利用して，フルカラー画像表示が行われている（たとえば、非特許文献１参照）。
【０００６】
ここに，上記非特許文献の全ての開示は，そっくりそのままここに引用（参照）することにより，一体化される。
【０００７】
なお，このようなワンチップＤＬＰデータプロジェクタは，明るさやコントラストを向上するとともに，ランプ電力の削減を実現することができるものである。
【０００８】
つぎに，従来のカラー画像処理装置のブロック図である図１０を主として参照しながら，従来のカラー画像処理装置の構成および動作についてより具体的に説明する。
【０００９】
従来のカラー画像処理装置は，従来の液晶画素５の説明図である図１１に示されているような，赤表示を行うための赤画素１と，緑表示を行うための緑画素２と，青表示を行うための青画素３と，白表示を行うための白画素４とを有する液晶画素５を利用するフルカラー画像表示を行うためのカラー画像処理装置である。
【００１０】
白信号生成回路１０００は，入力されてくる赤表示を行うための８ビットの入力赤信号Ｒｉｎと，入力されてくる緑表示を行うための８ビットの入力緑信号Ｇｉｎと，入力されてくる青表示を行うための８ビットの入力青信号Ｂｉｎとに基づき，８ビットの白信号
（数１）
Ｗ＝ｍｉｎ（Ｒｉｎ，Ｇｉｎ，Ｂｉｎ）
を生成する。
【００１１】
このように，従来のカラー画像処理装置においては，明るさを強調するための白を追加するために，白信号Ｗが生成される。
【特許文献１】特開平５−２４１５５１号公報
【非特許文献１】Ａ．クンツマン（Ａ．Ｋｕｎｚｍａｎ），Ｇ．ペティット（Ｇ．Ｐｅｔｔｉｔｔ），“色順次ＤＬＰのための白色強調（Ｗｈｉｔｅ  Ｅｎｈａｎｃｅｍｅｎｔ  ｆｏｒ  Ｃｏｌｏｒ−Ｓｅｑｕｅｎｔｉａｌ  ＤＬＰ）”，ＳＩＤ国際シンポジウム技術報告ダイジェスト（ＳＩＤ  Ｉｎｔｅｒｎａｔｉｏｎａｌ  Ｓｙｍｐｏｓｉｕｍ  Ｄｉｇｅｓｔ  ｏｆ  Ｔｅｃｈｎｉｃａｌ  Ｐａｐｅｒｓ），アメリカ合衆国，ＳＩＤ（Ｓｏｃｉｅｔｙ  ｆｏｒ  Ｉｎｆｏｒｍａｔｉｏｎ  Ｄｉｓｐｌａｙ），１９９８年５月，第２９巻，ｐｐ．１２１−１２４）。
【発明の開示】
【発明が解決しようとする課題】
【００１２】
しかしながら，上述された赤表示と緑表示と青表示と白表示とを利用する従来のカラー画像表示では，黄，シアン，マゼンタなどの色の見え方に違和感が惹起される場合があることに，本発明者は気付いた。
【００１３】
より具体的には，特に黄に関しては，黄，シアン，マゼンタの内でも暗いと感じられる傾向が顕著であることを，本発明者は確かめている。
【００１４】
本発明は，上記従来のこのような課題を考慮し，たとえば，赤表示と緑表示と青表示と白表示とを利用するカラー画像表示において黄が暗く見えてしまうといった色の見え方の違和感を低減することができるカラー画像処理装置，カラー画像処理方法，プログラム，および記録媒体を提供することを目的とする。
【課題を解決するための手段】
【００１５】
端的に述べると，従来のカラー画像処理装置の，各信号の信号値が矩形の縦方向の辺の長さにとられた擬似的な柱状グラフによる原理の説明図である図１２を見れば理解がより容易になるように，前述した色の見え方の違和感の原因は，白信号
（数１）
Ｗ＝ｍｉｎ（Ｒｉｎ，Ｇｉｎ，Ｂｉｎ）
をそのまま利用して白を追加するために，明るさが強調された白とその他の色との明るさ対比が大きくなりすぎてしまう場合が発生する点にある。
【００１６】
実際，白信号Ｗをそのまま利用して白を追加することにすると，Ｒｉｎ，Ｇｉｎ，Ｂｉｎの内の少なくとも一つが０である場合には，Ｗ＝０となってしまう。
【００１７】
たとえば，Ｒｉｎ＝２５５，Ｇｉｎ＝２５５，Ｂｉｎ＝０である（このとき，Ｗ＝０である）黄を表示する場合には，Ｒｉｎ＝２５５，Ｇｉｎ＝２５５，Ｂｉｎ＝２５５である（このとき，Ｗ＝２５５である）白を表示する場合と比べて液晶画素５に関する輝度比が１／２倍になる。
【００１８】
このため，黄は，明るさが強調された白に比べてかなり暗いと感じられてしまう。
【００１９】
そして，前述の違和感の原因は，実際の明るさが脳が記憶している明るさ感覚からずれてくることにも関係していると考えられ，脳が明るいと記憶している色である，Ｒｉｎ＝２５５，Ｇｉｎ＝２５５，Ｂｉｎ＝０である黄，Ｒｉｎ＝０，Ｇｉｎ＝２５５，Ｂｉｎ＝２５５であるシアン，Ｒｉｎ＝２５５，Ｇｉｎ＝０，Ｂｉｎ＝２５５であるマゼンタは，暗いと感じられる傾向をもつ。
【００２０】
このような傾向は，マゼンタ，シアン，黄の順により強くなり，脳がとりわけ明るいと記憶している黄に関しては顕著である。
【００２１】
そこで，本発明の実施の形態のカラー画像処理装置の，各信号の信号値が矩形の縦方向の辺の長さにとられた擬似的な柱状グラフによる原理の説明図（その１）である図１を見れば理解がより容易になるように，黄信号
（数２）
Ｙｅ＝ｍｉｎ（Ｒｉｎ−Ｗ，Ｇｉｎ−Ｗ）
の大きさに応じて白信号Ｗを増加させることによって生成した第一の出力白信号Ｗｏｕｔ（１）を利用して白表示を行うことにより，明るさが強調された白との明るさ対比が大きくなりすぎて黄が暗く見えてしまう弊害を抑える。
【００２２】
第１の本発明は，赤表示と緑表示と青表示と白表示とを利用するカラー画像表示を行うためのカラー画像処理装置であって，
入力されてくる前記赤表示を行うための入力赤信号Ｒｉｎと，入力されてくる前記緑表示を行うための入力緑信号Ｇｉｎと，入力されてくる前記青表示を行うための入力青信号Ｂｉｎとに基づき，白信号
（数１）
Ｗ＝ｍｉｎ（Ｒｉｎ，Ｇｉｎ，Ｂｉｎ）
を生成する白信号生成手段と，
前記入力されてくる入力赤信号Ｒｉｎと，前記入力されてくる入力緑信号Ｇｉｎと，前記生成された白信号Ｗとに基づき，黄信号
（数２）
Ｙｅ＝ｍｉｎ（Ｒｉｎ−Ｗ，Ｇｉｎ−Ｗ）
を生成する黄信号生成手段と，
前記生成された白信号Ｗと，前記生成された黄信号Ｙｅとに基づき，出力されていく前記白表示を行うための第一の出力白信号Ｗｏｕｔ（１）を生成する第一の出力白信号生成手段とを備え、
前記第一の出力白信号生成手段は，所定の正の定数Ｋ１に対し，
（数３）
Ｗｏｕｔ（１）＝Ｗ＋Ｋ１・Ｙｅ
として，前記第一の出力白信号Ｗｏｕｔ（１）を生成するカラー画像処理装置である。
【００２４】
第２の本発明は，前記入力されてくる前記青表示を行うための入力青信号Ｂｉｎと，前記生成された黄信号Ｙｅと，前記生成された白信号Ｗとに基づき，出力されていく前記青表示を行うための出力青信号Ｂｏｕｔを生成する出力青信号生成手段をさらに備えた第１の本発明のカラー画像処理装置である。
【００２５】
第３の本発明は，前記出力青信号生成手段は，所定の正の定数Ｌ１に対し，
（数４）
Ｂｏｕｔ＝Ｂｉｎ−Ｌ１・Ｙｅ・Ｗ
として，前記出力青信号Ｂｏｕｔを生成する第２の本発明のカラー画像処理装置である。
【００２６】
第４の本発明は，前記入力されてくる入力緑信号Ｇｉｎと，前記入力されてくる入力青信号Ｂｉｎと，前記生成された白信号Ｗとに基づき，シアン信号
（数５）
Ｃｙ＝ｍｉｎ（Ｇｉｎ−Ｗ，Ｂｉｎ−Ｗ）
を生成するシアン信号生成手段と，
前記生成された第一の出力白信号Ｗｏｕｔ（１）と，前記生成されたシアン信号Ｃｙとに基づき，前記第一の出力白信号Ｗｏｕｔ（１）の代わりに出力されていく前記白表示を行うための第二の出力白信号Ｗｏｕｔ（２）を生成する第二の出力白信号生成手段とをさらに備えた第１の本発明のカラー画像処理装置である。
【００２７】
第５の本発明は，前記第二の出力白信号生成手段は，所定の正の定数Ｋ２に対し，
（数６）
Ｗｏｕｔ（２）＝Ｗｏｕｔ（１）＋Ｋ２・Ｃｙ
として，前記第二の出力白信号Ｗｏｕｔ（２）を生成する第４の本発明のカラー画像処理装置である。
【００２８】
第６の本発明は，前記入力されてくる前記赤表示を行うための入力赤信号Ｒｉｎと，前記生成されたシアン信号Ｃｙと，前記生成された第一の出力白信号Ｗｏｕｔ（１）とに基づき，出力されていく前記赤表示を行うための出力赤信号Ｒｏｕｔを生成する出力赤信号生成手段をさらに備えた第４の本発明のカラー画像処理装置である。
【００２９】
第７の本発明は，前記出力赤信号生成手段は，所定の正の定数Ｌ２に対し，
（数７）
Ｒｏｕｔ＝Ｒｉｎ−Ｌ２・Ｃｙ・Ｗｏｕｔ（１）
として，前記出力赤信号Ｒｏｕｔを生成する第６の本発明のカラー画像処理装置である。
【００３０】
第８の本発明は，前記入力されてくる入力青信号Ｂｉｎと，前記入力されてくる入力赤信号Ｒｉｎと，前記生成された白信号Ｗとに基づき，マゼンタ信号
（数８）
Ｍａ＝ｍｉｎ（Ｂｉｎ−Ｗ，Ｒｉｎ−Ｗ）
を生成するマゼンタ信号生成手段と，
前記生成された第二の出力白信号Ｗｏｕｔ（２）と，前記生成されたマゼンタ信号Ｍａとに基づき，前記第二の出力白信号Ｗｏｕｔ（２）の代わりに出力されていく前記白表示を行うための第三の出力白信号Ｗｏｕｔ（３）を生成する第三の出力白信号生成手段とをさらに備えた第４の本発明のカラー画像処理装置である。
【００３１】
第９の本発明は，前記第三の出力白信号生成手段は，所定の正の定数Ｋ３に対し，
（数９）
Ｗｏｕｔ（３）＝Ｗｏｕｔ（２）＋Ｋ３・Ｍａ
として，前記第三の出力白信号Ｗｏｕｔ（３）を生成する第８の本発明のカラー画像処理装置である。
【００３２】
第１０の本発明は，前記入力されてくる前記緑表示を行うための入力緑信号Ｇｉｎと，前記生成されたマゼンタ信号Ｍａと，前記生成された第二の出力白信号Ｗｏｕｔ（２）とに基づき，出力されていく前記緑表示を行うための出力緑信号Ｇｏｕｔを生成する出力緑信号生成手段をさらに備えた第８の本発明のカラー画像処理装置である。
【００３３】
第１１の本発明は，前記出力緑信号生成手段は，所定の正の定数Ｌ３に対し，
（数１０）
Ｇｏｕｔ＝Ｇｉｎ−Ｌ３・Ｍａ・Ｗｏｕｔ（２）
として，前記出力緑信号Ｇｏｕｔを生成する第１０の本発明のカラー画像処理装置である。
【００３４】
第１２の本発明は，赤表示と緑表示と青表示と白表示とを利用するカラー画像表示を行うためのカラー画像処理方法であって，
入力されてくる前記赤表示を行うための入力赤信号Ｒｉｎと，入力されてくる前記緑表示を行うための入力緑信号Ｇｉｎと，入力されてくる前記青表示を行うための入力青信号Ｂｉｎとに基づき，白信号
（数１）
Ｗ＝ｍｉｎ（Ｒｉｎ，Ｇｉｎ，Ｂｉｎ）
を生成する白信号生成ステップと，
前記入力されてくる入力赤信号Ｒｉｎと，前記入力されてくる入力緑信号Ｇｉｎと，前記生成された白信号Ｗとに基づき，黄信号
（数２）
Ｙｅ＝ｍｉｎ（Ｒｉｎ−Ｗ，Ｇｉｎ−Ｗ）
を生成する黄信号生成ステップと，
前記生成された白信号Ｗと，前記生成された黄信号Ｙｅとに基づき，出力されていく前記白表示を行うための第一の出力白信号Ｗｏｕｔ（１）を生成する第一の出力白信号生成ステップとを備え、
前記第一の出力白信号Ｗｏｕｔ（１）は，所定の正の定数Ｋ１に対し，
（数３）
Ｗｏｕｔ（１）＝Ｗ＋Ｋ１・Ｙｅ
として生成されるカラー画像処理方法である。
【００３５】
第１３の本発明は，前記入力されてくる前記青表示を行うための入力青信号Ｂｉｎと，前記生成された黄信号Ｙｅと，前記生成された白信号Ｗとに基づき，出力されていく前記青表示を行うための出力青信号Ｂｏｕｔを生成する出力青信号生成ステップをさらに備えた第１２の本発明のカラー画像処理方法である。
【００３６】
第１４の本発明は，前記入力されてくる入力緑信号Ｇｉｎと，前記入力されてくる入力青信号Ｂｉｎと，前記生成された白信号Ｗとに基づき，シアン信号
（数５）
Ｃｙ＝ｍｉｎ（Ｇｉｎ−Ｗ，Ｂｉｎ−Ｗ）
を生成するシアン信号生成ステップと，
前記生成された第一の出力白信号Ｗｏｕｔ（１）と，前記生成されたシアン信号Ｃｙとに基づき，前記第一の出力白信号Ｗｏｕｔ（１）の代わりに出力されていく前記白表示を行うための第二の出力白信号Ｗｏｕｔ（２）を生成する第二の出力白信号生成ステップとをさらに備えた第１２の本発明のカラー画像処理方法である。
【００３７】
第１５の本発明は，前記入力されてくる前記赤表示を行うための入力赤信号Ｒｉｎと，前記生成されたシアン信号Ｃｙと，前記生成された第一の出力白信号Ｗｏｕｔ（１）とに基づき，出力されていく前記赤表示を行うための出力赤信号Ｒｏｕｔを生成する出力赤信号生成ステップをさらに備えた第１４の本発明のカラー画像処理方法である。
【００３８】
第１６の本発明は，前記入力されてくる入力青信号Ｂｉｎと，前記入力されてくる入力赤信号Ｒｉｎと，前記生成された白信号Ｗとに基づき，マゼンタ信号
（数８）
Ｍａ＝ｍｉｎ（Ｂｉｎ−Ｗ，Ｒｉｎ−Ｗ）
を生成するマゼンタ信号生成ステップと，
前記生成された第二の出力白信号Ｗｏｕｔ（２）と，前記生成されたマゼンタ信号Ｍａとに基づき，前記第二の出力白信号Ｗｏｕｔ（２）の代わりに出力されていく前記白表示を行うための第三の出力白信号Ｗｏｕｔ（３）を生成する第三の出力白信号生成ステップとをさらに備えた第１４の本発明のカラー画像処理方法である。
【００３９】
第１７の本発明は，前記入力されてくる前記緑表示を行うための入力緑信号Ｇｉｎと，前記生成されたマゼンタ信号Ｍａと，前記生成された第二の出力白信号Ｗｏｕｔ（２）とに基づき，出力されていく前記緑表示を行うための出力緑信号Ｇｏｕｔを生成する出力緑信号生成ステップをさらに備えた第１６の本発明のカラー画像処理方法である。
【００４０】
第１８の本発明は，第１２の本発明のカラー画像処理方法の，入力されてくる前記赤表示を行うための入力赤信号Ｒｉｎと，入力されてくる前記緑表示を行うための入力緑信号Ｇｉｎと，入力されてくる前記青表示を行うための入力青信号Ｂｉｎとに基づき，白信号
（数１）
Ｗ＝ｍｉｎ（Ｒｉｎ，Ｇｉｎ，Ｂｉｎ）
を生成する白信号生成ステップと，
前記入力されてくる入力赤信号Ｒｉｎと，前記入力されてくる入力緑信号Ｇｉｎと，前記生成された白信号Ｗとに基づき，黄信号
（数２）
Ｙｅ＝ｍｉｎ（Ｒｉｎ−Ｗ，Ｇｉｎ−Ｗ）
を生成する黄信号生成ステップと，
前記生成された白信号Ｗと，前記生成された黄信号Ｙｅとに基づき，出力されていく前記白表示を行うための第一の出力白信号Ｗｏｕｔ（１）を生成する第一の出力白信号生成ステップとをコンピュータに実行させるためのプログラムである。
【００４１】
第１９の本発明は，第１８の本発明のプログラムを担持した記録媒体であって，コンピュータにより処理可能な記録媒体である。
【発明の効果】
【００４２】
本発明は，たとえば，赤表示と緑表示と青表示と白表示とを利用するカラー画像表示において黄が暗く見えてしまうといった色の見え方の違和感を低減することができるという長所を有する。
【発明を実施するための最良の形態】
【００４３】
以下，本発明の実施の形態について，図面を用いて説明する。
【００４４】
（実施の形態）
はじめに，本発明の実施の形態におけるカラー画像処理装置のブロック図である図２を主として参照しながら，本実施の形態のカラー画像処理装置の構成について説明する。
【００４５】
なお，本実施の形態のカラー画像処理装置の原理については，後述する。
【００４６】
本実施の形態のカラー画像処理装置は，赤表示を行うための赤画素１と，緑表示を行うための緑画素２と，青表示を行うための青画素３と，白表示を行うための白画素４とを有する液晶画素５を利用するフルカラー画像表示を行うためのカラー画像処理装置である（図１１参照）。
【００４７】
白信号生成回路１０００は，前述したように，入力されてくる赤表示を行うための８ビットの入力赤信号Ｒｉｎと，入力されてくる緑表示を行うための８ビットの入力緑信号Ｇｉｎと，入力されてくる青表示を行うための８ビットの入力青信号Ｂｉｎとに基づき，８ビットの白信号
（数１）
Ｗ＝ｍｉｎ（Ｒｉｎ，Ｇｉｎ，Ｂｉｎ）
を生成する回路である。
【００４８】
黄信号生成回路２０１２は，入力されてくる入力赤信号Ｒｉｎと，入力されてくる入力緑信号Ｇｉｎと，生成された白信号Ｗとに基づき，８ビットの黄信号
（数２）
Ｙｅ＝ｍｉｎ（Ｒｉｎ−Ｗ，Ｇｉｎ−Ｗ）
を生成する回路である。
【００４９】
第一の出力白信号生成回路３０１２は，生成された白信号Ｗと，生成された黄信号Ｙｅとに基づき，出力されていく白表示を行うための８ビットの第一の出力白信号Ｗｏｕｔ（１）を生成する回路である。
【００５０】
具体的には，第一の出力白信号生成回路３０１２は，所定の正の定数Ｋ１に対し，
（数３）
Ｗｏｕｔ（１）＝Ｗ＋Ｋ１・Ｙｅ
として，第一の出力白信号Ｗｏｕｔ（１）を生成する回路である。
【００５１】
出力青信号生成回路４００３は，入力されてくる青表示を行うための入力青信号Ｂｉｎと，生成された黄信号Ｙｅと，生成された白信号Ｗとに基づき，出力されていく青表示を行うための８ビットの出力青信号Ｂｏｕｔを生成する回路である。
【００５２】
具体的には，出力青信号生成回路４００３は，所定の正の定数Ｌ１に対し，
（数４）
Ｂｏｕｔ＝Ｂｉｎ−Ｌ１・Ｙｅ・Ｗ
として，出力青信号Ｂｏｕｔを生成する回路である。
【００５３】
ただし，後述されるように，出力青信号生成回路４００３は，必須ではない。
【００５４】
なお，白信号生成回路１０００は本発明の白信号生成手段に対応し，黄信号生成回路２０１２は本発明の黄信号生成手段に対応し，第一の出力白信号生成回路３０１２は本発明の第一の出力白信号生成手段に対応し，出力青信号生成回路４００３は本発明の出力青信号生成手段に対応する。
【００５５】
ここで，本発明の理解をより容易にするために，本実施の形態のカラー画像処理装置の原理について説明する。
【００５６】
本実施の形態においては，所定の正の定数Ｋ１に対し，第一の出力白信号
（数３）
Ｗｏｕｔ（１）＝Ｗ＋Ｋ１・Ｙｅ
を利用して白表示を行う。
【００５７】
このような画像処理を行うと，前述したように，黄信号Ｙｅの大きさに応じて白信号ＷをＫ１・Ｙｅだけ増加させて白表示を行うことになるため，明るさが強調された白との明るさ対比が大きくなりすぎて黄が暗く見えてしまう弊害を抑えることができる（図１参照）。
【００５８】
ただし，このようにして白表示を行うと，黄が暗く見えてしまう弊害を抑えることはできるものの，黄が白っぽくなって薄く見えてしまうことがある。
【００５９】
そこで，本実施の形態においては，さらに，所定の正の定数Ｌ１に対し，出力青信号
（数４）
Ｂｏｕｔ＝Ｂｉｎ−Ｌ１・Ｙｅ・Ｗ
を利用して青表示を行う。
【００６０】
前述されたように，出力青信号生成回路４００３は必須ではないが，出力青信号生成回路４００３によるこのような画像処理を行うと，本発明の実施の形態のカラー画像処理装置の，各信号の信号値が矩形の縦方向の辺の長さにとられた擬似的な柱状グラフによる原理の説明図（その２）である図３を見れば理解がより容易になるように，黄信号Ｙｅおよび白信号Ｗの大きさに応じて入力青信号ＢｉｎをＬ１・Ｙｅ・Ｗだけ減少させて青表示を行うことになるため，黄の補色である青が抑制されて黄を保持することができ，黄が薄く見えてしまうこともほとんどなくなる。
【００６１】
かくして，入力赤信号Ｒｉｎ，入力緑信号Ｇｉｎ，出力青信号Ｂｏｕｔ，および第一の出力白信号Ｗｏｕｔ（１）を利用する高品位なフルカラー画像表示を実現できることとなる。
【００６２】
つぎに，本実施の形態のカラー画像処理装置の構成についてより詳細に説明する。
【００６３】
白信号生成回路１０００の構成；白信号生成回路１０００は，最小値検出器１００を有している。
【００６４】
最小値検出器１００は，入力赤信号Ｒｉｎと，入力緑信号Ｇｉｎと，入力青信号Ｂｉｎとを比較して最小値ｍｉｎ（Ｒｉｎ，Ｇｉｎ，Ｂｉｎ）を生成し，白信号
（数１）
Ｗ＝ｍｉｎ（Ｒｉｎ，Ｇｉｎ，Ｂｉｎ）
を出力する回路である。
【００６５】
黄信号生成回路２０１２の構成；黄信号生成回路２０１２は，減算器２０１，減算器３０２，および最小値検出器４１２を有している。
【００６６】
減算器２０１は，白信号Ｗを入力赤信号Ｒｉｎから減算して減算値Ｒｉｎ−Ｗを生成し，その減算値Ｒｉｎ−Ｗを出力する回路である。
【００６７】
減算器３０２は，白信号Ｗを入力緑信号Ｇｉｎから減算して減算値Ｇｉｎ−Ｗを生成し，その減算値Ｇｉｎ−Ｗを出力する回路である。
【００６８】
最小値検出器４１２は，減算値Ｒｉｎ−Ｗと，減算値Ｇｉｎ−Ｗとを比較して最小値ｍｉｎ（Ｒｉｎ−Ｗ，Ｇｉｎ−Ｗ）を生成し，黄信号
（数２）
Ｙｅ＝ｍｉｎ（Ｒｉｎ−Ｗ，Ｇｉｎ−Ｗ）
を出力する回路である。
【００６９】
第一の出力白信号生成回路３０１２の構成；第一の出力白信号生成回路３０１２は，乗算器５１２，および加算器６１２を有している。
【００７０】
乗算器５１２は，所定の正の定数Ｋ１を黄信号Ｙｅに乗算して乗算値Ｋ１・Ｙｅを生成し，その乗算値Ｋ１・Ｙｅを出力する回路である。
【００７１】
加算器６１２は，乗算値Ｋ１・Ｙｅを白信号Ｗに加算して加算値Ｗ＋Ｋ１・Ｙｅを生成し，第一の出力白信号
（数３）
Ｗｏｕｔ（１）＝Ｗ＋Ｋ１・Ｙｅ
を出力する回路である。
【００７２】
出力青信号生成回路４００３の構成；出力青信号生成回路４００３は，乗算器７０３，乗算器８０３，および減算器９０３を有している。
【００７３】
乗算器７０３は，所定の正の定数Ｌ１を黄信号Ｙｅに乗算して乗算値Ｌ１・Ｙｅを生成し，その乗算値Ｌ１・Ｙｅを出力する回路である。
【００７４】
乗算器８０３は，乗算値Ｌ１・Ｙｅを白信号Ｗに乗算して乗算値Ｌ１・Ｙｅ・Ｗを生成し，その乗算値Ｌ１・Ｙｅ・Ｗを出力する回路である。
【００７５】
減算器９０３は，乗算値Ｌ１・Ｙｅ・Ｗを入力青信号Ｂｉｎから減算して減算値Ｂｉｎ−Ｌ１・Ｙｅ・Ｗを生成し，出力青信号
（数４）
Ｂｏｕｔ＝Ｂｉｎ−Ｌ１・Ｙｅ・Ｗ
を出力する回路である。
【００７６】
つぎに，本実施の形態のカラー画像処理装置の動作について説明する。
【００７７】
なお，本実施の形態のカラー画像処理装置の動作について説明しながら，本発明の一実施の形態についても説明する。
【００７８】
白信号生成回路１０００の動作；最小値検出器１００は，入力赤信号Ｒｉｎと，入力緑信号Ｇｉｎと，入力青信号Ｂｉｎとを比較して最小値ｍｉｎ（Ｒｉｎ，Ｇｉｎ，Ｂｉｎ）を生成し，白信号
（数１）
Ｗ＝ｍｉｎ（Ｒｉｎ，Ｇｉｎ，Ｂｉｎ）
を出力する。
【００７９】
黄信号生成回路２０１２の動作；減算器２０１は，白信号Ｗを入力赤信号Ｒｉｎから減算して減算値Ｒｉｎ−Ｗを生成し，その減算値Ｒｉｎ−Ｗを出力する。
【００８０】
減算器３０２は，白信号Ｗを入力緑信号Ｇｉｎから減算して減算値Ｇｉｎ−Ｗを生成し，その減算値Ｇｉｎ−Ｗを出力する。
【００８１】
最小値検出器４１２は，減算値Ｒｉｎ−Ｗと，減算値Ｇｉｎ−Ｗとを比較して最小値ｍｉｎ（Ｒｉｎ−Ｗ，Ｇｉｎ−Ｗ）を生成し，黄信号
（数２）
Ｙｅ＝ｍｉｎ（Ｒｉｎ−Ｗ，Ｇｉｎ−Ｗ）
を出力する。
【００８２】
第一の出力白信号生成回路３０１２の動作；乗算器５１２は，所定の正の定数Ｋ１を黄信号Ｙｅに乗算して乗算値Ｋ１・Ｙｅを生成し，その乗算値Ｋ１・Ｙｅを出力する。
【００８３】
加算器６１２は，乗算値Ｋ１・Ｙｅを白信号Ｗに加算して加算値Ｗ＋Ｋ１・Ｙｅを生成し，第一の出力白信号
（数３）
Ｗｏｕｔ（１）＝Ｗ＋Ｋ１・Ｙｅ
を出力する。
【００８４】
出力青信号生成回路４００３の動作；乗算器７０３は，所定の正の定数Ｌ１を黄信号Ｙｅに乗算して乗算値Ｌ１・Ｙｅを生成し，その乗算値Ｌ１・Ｙｅを出力する。
【００８５】
乗算器８０３は，乗算値Ｌ１・Ｙｅを白信号Ｗに乗算して乗算値Ｌ１・Ｙｅ・Ｗを生成し，その乗算値Ｌ１・Ｙｅ・Ｗを出力する。
【００８６】
減算器９０３は，乗算値Ｌ１・Ｙｅ・Ｗを入力青信号Ｂｉｎから減算して減算値Ｂｉｎ−Ｌ１・Ｙｅ・Ｗを生成し，出力青信号
（数４）
Ｂｏｕｔ＝Ｂｉｎ−Ｌ１・Ｙｅ・Ｗ
を出力する。
【００８７】
以上においては，本発明の実施の形態について詳細に説明を行った。
【００８８】
（Ａ）なお，本発明のカラー画像処理装置は，本発明の実施の形態におけるカラー画像処理装置の部分ブロック図（その１）である図４に示されているように，入力されてくる入力緑信号Ｇｉｎと，入力されてくる入力青信号Ｂｉｎと，生成された白信号Ｗとに基づき，８ビットのシアン信号
（数５）
Ｃｙ＝ｍｉｎ（Ｇｉｎ−Ｗ，Ｂｉｎ−Ｗ）
を生成するシアン信号生成回路２０２３と，生成された第一の出力白信号Ｗｏｕｔ（１）と，生成されたシアン信号Ｃｙとに基づき，出力されていく白表示を行うための８ビットの第二の出力白信号Ｗｏｕｔ（２）を生成する第二の出力白信号生成回路３０２３とをさらに備えていてもよい。
【００８９】
具体的には，第二の出力白信号生成回路３０２３は，所定の正の定数Ｋ２に対し，
（数６）
Ｗｏｕｔ（２）＝Ｗｏｕｔ（１）＋Ｋ２・Ｃｙ
として，第二の出力白信号Ｗｏｕｔ（２）を生成する回路であってもよい。
【００９０】
このようにすると，シアン信号Ｃｙの大きさに応じて第一の出力白信号Ｗｏｕｔ（１）をＫ２・Ｃｙだけ増加させて白表示を行うことになるため，明るさが強調された白との明るさ対比が大きくなりすぎてシアンが暗く見えてしまう弊害を抑えることができる。
【００９１】
ただし，このようにして白表示を行うと，シアンが暗く見えてしまう弊害を抑えることはできるものの，シアンが白っぽくなって薄く見えてしまうことがある。
【００９２】
そこで，本発明のカラー画像処理装置は，図４に示されているように，入力されてくる赤表示を行うための入力赤信号Ｒｉｎと，生成されたシアン信号Ｃｙと，生成された第一の出力白信号Ｗｏｕｔ（１）とに基づき，出力されていく赤表示を行うための８ビットの出力赤信号Ｒｏｕｔを生成する出力赤信号生成手段４００１をさらに備えていてもよい。
【００９３】
具体的には，出力赤信号生成手段４００１は，所定の正の定数Ｌ２に対し，
（数７）
Ｒｏｕｔ＝Ｒｉｎ−Ｌ２・Ｃｙ・Ｗｏｕｔ（１）
として，出力赤信号Ｒｏｕｔを生成する回路であってもよい。
【００９４】
このようにすると，シアン信号Ｃｙおよび第一の出力白信号Ｗｏｕｔ（１）の大きさに応じて入力赤信号ＲｉｎをＬ２・Ｃｙ・Ｗｏｕｔ（１）だけ減少させて赤表示を行うことになるため，シアンの補色である赤が抑制されてシアンを保持することができ，シアンが薄く見えてしまうこともほとんどなくなる。
【００９５】
なお，シアン信号生成回路２０２３は本発明のシアン信号生成手段に対応し，第二の出力白信号生成回路３０２３は本発明の第二の出力白信号生成手段に対応し，出力赤信号生成回路４００１は本発明の出力赤信号生成手段に対応する。
【００９６】
ここで，図４を参照しながら，このようなカラー画像処理装置の構成の一例についてより詳細に説明する。
【００９７】
シアン信号生成回路２０２３の構成；シアン信号生成回路２０２３は，減算器２０２，減算器３０３，および最小値検出器４２３を有している。
【００９８】
減算器２０２は，白信号Ｗを入力赤信号緑Ｇｉｎから減算して減算値Ｇｉｎ−Ｗを生成し，その減算値Ｇｉｎ−Ｗを出力する回路である。
【００９９】
減算器３０３は，白信号Ｗを入力青信号Ｂｉｎから減算して減算値Ｂｉｎ−Ｗを生成し，その減算値Ｂｉｎ−Ｗを出力する回路である。
【０１００】
最小値検出器４２３は，減算値Ｇｉｎ−Ｗと，減算値Ｂｉｎ−Ｗとを比較して最小値ｍｉｎ（Ｇｉｎ−Ｗ，Ｂｉｎ−Ｗ）を生成し，シアン信号
（数５）
Ｃｙ＝ｍｉｎ（Ｇｉｎ−Ｗ，Ｂｉｎ−Ｗ）
を出力する回路である。
【０１０１】
第二の出力白信号生成回路３０２３の構成；第二の出力白信号生成回路３０２３は，乗算器５２３，および加算器６２３を有している。
【０１０２】
乗算器５２３は，所定の正の定数Ｋ２をシアン信号Ｃｙに乗算して乗算値Ｋ２・Ｃｙを生成し，その乗算値Ｋ２・Ｃｙを出力する回路である。
【０１０３】
加算器６２３は，乗算値Ｋ２・Ｃｙを第一の出力白信号Ｗｏｕｔ（１）に加算して加算値Ｗｏｕｔ（１）＋Ｋ２・Ｃｙを生成し，第二の出力白信号
（数６）
Ｗｏｕｔ（２）＝Ｗｏｕｔ（１）＋Ｋ２・Ｃｙ
を出力する回路である。
【０１０４】
出力赤信号生成回路４００１の構成；出力赤信号生成回路４００１は，乗算器７０１，乗算器８０１，および減算器９０１を有している。
【０１０５】
乗算器７０１は，所定の正の定数Ｌ２をシアン信号Ｃｙに乗算して乗算値Ｌ２・Ｃｙを生成し，その乗算値Ｌ２・Ｃｙを出力する回路である。
【０１０６】
乗算器８０１は，乗算値Ｌ２・Ｃｙを第一の出力白信号Ｗｏｕｔ（１）に乗算して乗算値Ｌ２・Ｃｙ・Ｗｏｕｔ（１）を生成し，その乗算値Ｌ２・Ｃｙ・Ｗｏｕｔ（１）を出力する回路である。
【０１０７】
減算器９０１は，乗算値Ｌ２・Ｃｙ・Ｗｏｕｔ（１）を入力赤信号Ｒｉｎから減算して減算値Ｒｉｎ−Ｌ２・Ｃｙ・Ｗｏｕｔ（１）を生成し，出力赤信号
（数７）
Ｒｏｕｔ＝Ｒｉｎ−Ｌ２・Ｃｙ・Ｗｏｕｔ（１）
を出力する回路である。
【０１０８】
このような構成を有するカラー画像処理装置を利用することにより，出力赤信号Ｒｏｕｔ，入力緑信号Ｇｉｎ，出力青信号Ｂｏｕｔ，および第二の出力白信号Ｗｏｕｔ（２）を利用する高品位なフルカラー画像表示を実現できる。
【０１０９】
（Ｂ）また，本発明のカラー画像処理装置は，本発明の実施の形態におけるカラー画像処理装置の部分ブロック図（その２）である図５に示されているように，入力されてくる入力青信号Ｂｉｎと，入力されてくる入力赤信号Ｒｉｎと，生成された白信号Ｗとに基づき，８ビットのマゼンタ信号
（数８）
Ｍａ＝ｍｉｎ（Ｂｉｎ−Ｗ，Ｒｉｎ−Ｗ）
を生成するマゼンタ信号生成回路２０３１と，生成された第二の出力白信号Ｗｏｕｔ（２）と，生成されたマゼンタ信号Ｍａとに基づき，出力されていく白表示を行うための８ビットの第三の出力白信号Ｗｏｕｔ（３）を生成する第三の出力白信号生成回路３０３１とをさらに備えていてもよい。
【０１１０】
具体的には，第三の出力白信号生成回路３０３１は，所定の正の定数Ｋ３に対し，
（数９）
Ｗｏｕｔ（３）＝Ｗｏｕｔ（２）＋Ｋ３・Ｍａ
として，第三の出力白信号Ｗｏｕｔ（３）を生成する回路であってもよい。
【０１１１】
このようにすると，マゼンタ信号Ｍａの大きさに応じて第二の出力白信号Ｗｏｕｔ（２）をＫ３・Ｍａだけ増加させて白表示を行うことになるため，明るさが強調された白との明るさ対比が大きくなりすぎてマゼンタが暗く見えてしまう弊害を抑えることができる。
【０１１２】
ただし，このようにして白表示を行うと，マゼンタが暗く見えてしまう弊害を抑えることはできるものの，マゼンタが白っぽくなって薄く見えてしまうことがある。
【０１１３】
そこで，本発明のカラー画像処理装置は，図５に示されているように，入力されてくる緑表示を行うための入力緑信号Ｇｉｎと，生成されたマゼンタ信号Ｍａと，生成された第二の出力白信号Ｗｏｕｔ（２）とに基づき，出力されていく緑表示を行うための８ビットの出力緑信号Ｇｏｕｔを生成する出力緑信号生成手段４００２をさらに備えていてもよい。
【０１１４】
具体的には，出力緑信号生成手段４００２は，所定の正の定数Ｌ３に対し，
（数１０）
Ｇｏｕｔ＝Ｇｉｎ−Ｌ３・Ｍａ・Ｗｏｕｔ（２）
として，出力緑信号Ｇｏｕｔを生成する回路であってもよい。
【０１１５】
このようにすると，マゼンタ信号Ｍａおよび第二の出力白信号Ｗｏｕｔ（２）の大きさに応じて入力緑信号ＧｉｎをＬ３・Ｍａ・Ｗｏｕｔ（２）だけ減少させて緑表示を行うことになるため，マゼンタの補色である緑が抑制されてマゼンタを保持することができ，マゼンタが薄く見えてしまうこともほとんどなくなる。
【０１１６】
なお，マゼンタ信号生成回路２０３１は本発明のマゼンタ信号生成手段に対応し，第三の出力白信号生成回路３０３１は本発明の第三の出力白信号生成手段に対応し，出力緑信号生成回路４００２は本発明の出力緑信号生成手段に対応する。
【０１１７】
ここで，図５を参照しながら，このようなカラー画像処理装置の構成の一例についてより詳細に説明する。
【０１１８】
マゼンタ信号生成回路２０３１の構成；マゼンタ信号生成回路２０３１は，減算器２０３，減算器３０１，および最小値検出器４３１を有している。
【０１１９】
減算器２０３は，白信号Ｗを入力青信号緑Ｂｉｎから減算して減算値Ｂｉｎ−Ｗを生成し，その減算値Ｂｉｎ−Ｗを出力する回路である。
【０１２０】
減算器３０１は，白信号Ｗを入力赤信号Ｒｉｎから減算して減算値Ｒｉｎ−Ｗを生成し，その減算値Ｒｉｎ−Ｗを出力する回路である。
【０１２１】
最小値検出器４３１は，減算値Ｂｉｎ−Ｗと，減算値Ｒｉｎ−Ｗとを比較して最小値ｍｉｎ（Ｂｉｎ−Ｗ，Ｒｉｎ−Ｗ）を生成し，マゼンタ信号
（数８）
Ｍａ＝ｍｉｎ（Ｂｉｎ−Ｗ，Ｒｉｎ−Ｗ）
を出力する回路である。
【０１２２】
第三の出力白信号生成回路３０３１の構成；第三の出力白信号生成回路３０３１は，乗算器５３１，および加算器６３１を有している。
【０１２３】
乗算器５３１は，所定の正の定数Ｋ３をマゼンタ信号Ｍａに乗算して乗算値Ｋ３・Ｍａを生成し，その乗算値Ｋ３・Ｍａを出力する回路である。
【０１２４】
加算器６３１は，乗算値Ｋ３・Ｍａを第二の出力白信号Ｗｏｕｔ（２）に加算して加算値Ｗｏｕｔ（２）＋Ｋ３・Ｍａを生成し，第三の出力白信号
（数９）
Ｗｏｕｔ（３）＝Ｗｏｕｔ（２）＋Ｋ３・Ｍａ
を出力する回路である。
【０１２５】
出力緑信号生成回路４００２の構成；出力緑信号生成回路４００２は，乗算器７０２，乗算器８０２，および減算器９０２を有している。
【０１２６】
乗算器７０２は，所定の正の定数Ｌ３をマゼンタ信号Ｍａに乗算して乗算値Ｌ３・Ｍａを生成し，その乗算値Ｌ３・Ｍａを出力する回路である。
【０１２７】
乗算器８０２は，乗算値Ｌ３・Ｍａを第二の出力白信号Ｗｏｕｔ（２）に乗算して乗算値Ｌ３・Ｍａ・Ｗｏｕｔ（２）を生成し，その乗算値Ｌ３・Ｍａ・Ｗｏｕｔ（２）を出力する回路である。
【０１２８】
減算器９０２は，乗算値Ｌ３・Ｍａ・Ｗｏｕｔ（２）を入力緑信号Ｇｉｎから減算して減算値Ｇｉｎ−Ｌ３・Ｍａ・Ｗｏｕｔ（２）を生成し，出力緑信号
（数１０）
Ｇｏｕｔ＝Ｇｉｎ−Ｌ３・Ｍａ・Ｗｏｕｔ（２）
を出力する回路である。
【０１２９】
このような構成を有するカラー画像処理装置を利用することにより，出力赤信号Ｒｏｕｔ，出力緑信号Ｇｏｕｔ，出力青信号Ｂｏｕｔ，および第三の出力白信号Ｗｏｕｔ（３）を利用する高品位なフルカラー画像表示を実現できる。
【０１３０】
（Ｃ）また，本発明のカラー画像処理装置は，上述した実施の形態においては，液晶画素５を利用してカラー画像表示を行うためのカラー画像処理装置であった。
【０１３１】
しかし，これに限らず，本発明のカラー画像処理装置は，本発明の実施の形態における四色カラーホイール１５とＤＬＰパネル１６の説明図である図６に示されているような四色カラーホイール１５とＤＬＰパネル１６とを利用してカラー画像表示を行うためのカラー画像処理装置であってもよい。
【０１３２】
なお，四色カラーホイール１５は，赤表示を行うための赤フィルタ１１と，緑表示を行うための緑フィルタ１２と，青表示を行うための青フィルタ１３と，白表示を行うための透明フィルタ１４とを有する。四色カラーホイール１５は，フィールドシーケンシャル方式とも呼ばれる色順次方式のＤＬＰプロジェクタにおいて利用されるＲＧＢＷ四色セグメントをもつカラーホイールである。ここに，透明フィルタ１４のセグメントがもつ中心角は約７０度であるが，赤フィルタ１１，緑フィルタ１２および青フィルタ１３を全階調２５５で利用した場合の白と透明フィルタ１４を利用した場合の白との輝度比は約１：１であり，四色カラーホイール１５全体でのＣＷ（Ｃｏｌｏｒ  Ｗｈｅｅｌ）効率と呼ばれる光透過率は約５０％である。
【０１３３】
四色カラーホイール１５は，矢印Ｘの向きに回転することにより，赤表示を行うための赤色光，緑表示を行うための緑色光，青表示を行うための青色光，白表示を行うための白色光を，対応する時間帯ごとに生成する。生成された光は，リレーレンズ（図示省略）やミラー（図示省略）の組み合わせられた光学系によって導かれ，ＤＬＰパネル１６まで到達する。ＤＬＰパネル１６は，到達した光に応じて階調を生成し，その光をプロジェクションレンズ（図示省略）に反射する。そして，プロジェクションレンズ（図示省略）は，反射されてきた光を混色された光としてスクリーン（図示省略）に投影する。
【０１３４】
かくして，四色カラーホイール１５とＤＬＰパネル１６とを利用する色順次方式によるフルカラー画像表示が，行われるものである。
【０１３５】
（Ｄ）また，本発明のカラー画像処理装置は，上述した実施の形態においては，乗算器５１２などの乗算器を利用して演算を行った。
【０１３６】
しかし，これに限らず，本発明のカラー画像処理装置は，加算やシフト（桁数移動）を行う加算器やシフト器，および／またはＲＯＭを利用して演算を行ってもよい。
【０１３７】
なお，加算器やシフト器，および／またはＲＯＭを利用することにより，回路構成が簡単化できるものである。
【０１３８】
（Ｅ）なお，本発明のプログラムは，上述した本発明のカラー画像処理方法の全部または一部のステップの動作をコンピュータにより実行させるためのプログラムであって，コンピュータと協働して動作するプログラムである。
【０１３９】
また，本発明の記録媒体は，上述した本発明のカラー画像処理方法の全部または一部のステップの全部または一部の動作をコンピュータにより実行させるためのプログラムを担持した記録媒体であり，コンピュータにより読み取り可能かつ，読み取られた前記プログラムが前記コンピュータと協動して前記動作を実行する記録媒体である。
【０１４０】
なお，本発明の上記「一部のステップ」とは，それらの複数のステップの内の，一つまたは幾つかのステップを意味する。
【０１４１】
また，本発明の上記「ステップの動作」とは，前記ステップの全部または一部の動作を意味する。
【０１４２】
また，本発明のプログラムの一利用形態は，コンピュータにより読み取り可能な記録媒体に記録され，コンピュータと協働して動作する態様であっても良い。
【０１４３】
また，本発明のプログラムの一利用形態は，伝送媒体中を伝送し，コンピュータにより読みとられ，コンピュータと協働して動作する態様であっても良い。
【０１４４】
また，記録媒体としては，ＲＯＭ等が含まれ，伝送媒体としては，インターネット等の伝送媒体，光・電波・音波等が含まれる。
【０１４５】
また，上述した本発明のコンピュータは，ＣＰＵ等の純然たるハードウェアに限らず，ファームウェアや，ＯＳ，更に周辺機器を含むものであっても良い。
【０１４６】
なお，以上説明した様に，本発明の構成は，ソフトウェア的に実現しても良いし，ハードウェア的に実現しても良い。
【０１４７】
（実施例）
以下，本発明の実施例について，具体的に説明する。
【０１４８】
本実施例（つぎに説明する比較例および実施例１〜２）においては，ガンマ変換が行われた原ＲＧＢ信号に対して逆ガンマ変換を行ったリニアＲＧＢ信号を，上述した実施の形態におけるカラー画像処理装置に入力されるべき入力ＲＧＢ信号として利用する。より具体的には，
ガンマ変換が行われた赤表示を行うための原赤信号ＲＯに対して逆ガンマ変換を行ったリニア信号を，赤表示を行うための入力赤信号Ｒｉｎとし；
ガンマ変換が行われた緑表示を行うための原緑信号ＧＯに対して逆ガンマ変換を行ったリニア信号を，緑表示を行うための入力緑信号Ｇｉｎとし；
ガンマ変換が行われた青表示を行うための原青信号ＢＯに対して逆ガンマ変換を行ったリニア信号を，青表示を行うための入力青信号Ｂｉｎとする。
【０１４９】
もちろん，リニアＲＧＢ信号の最小値である白ブースト入力信号は，上述した実施の形態における白信号Ｗである。
【０１５０】
なお，本実施例（つぎに説明する比較例および実施例１〜２）におけるガンマ値γは，すべて２．２である。
【０１５１】
また，本実施例（つぎに説明する比較例および実施例１〜２）におけるＣＲＴモニタは，白が追加されていない，赤緑青の三原色を利用して表示を行うＣＲＴモニタである。
【０１５２】
（比較例）
本比較例においては，上述した実施の形態におけるカラー画像処理は一切行わない。
【０１５３】
すなわち，本比較例においては，白ブースト入力信号である白信号Ｗに対して，３０％の減算を行ってクリップした後に，最大振幅を１に正規化するゲイン調整を行って，白ブースト出力信号ｗを生成する。
【０１５４】
そして，逆ガンマ変換が行われたリニアＲＧＢ信号に対して，白ブースト出力信号ｗを加算して１／２倍のゲイン調整を行った後にガンマ変換を行って，ＣＲＴモニタにシミュレーション表示を行うための表示ＲＧＢ信号を生成する。より具体的には，
入力赤信号Ｒｉｎに対して，白ブースト出力信号ｗを加算してゲイン調整を行った後にガンマ変換を行って，ＣＲＴモニタに赤表示を行うための赤表示信号Ｒｄ（０）を生成し；
入力緑信号Ｇｉｎに対して，白ブースト出力信号ｗを加算してゲイン調整を行った後にガンマ変換を行って，ＣＲＴモニタに緑表示を行うための緑表示信号Ｇｄ（０）を生成し；
入力青信号Ｂｉｎに対して，白ブースト出力信号ｗを加算してゲイン調整を行った後にガンマ変換を行って，ＣＲＴモニタに青表示を行うための青表示信号Ｂｄ（０）を生成する。
【０１５５】
本比較例におけるカラー画像処理を行った結果を，（ＲＯ，ＧＯ，ＢＯ）＝（２５５，２５５，０），（２５５，２５５，５１），（２５５，２５５，１０２），（２５５，２５５，１５３），（２５５，２５５，２０４）である原ＲＧＢ信号に関して，本発明の比較例におけるカラー画像処理のシミュレーション結果の説明図である図７に示す。
【０１５６】
（実施例１）
本実施例においては，黄の補色である青を抑制するカラー画像処理を除いて，上述した実施の形態におけるカラー画像処理を行う。
【０１５７】
すなわち，本実施例においては，白ブースト入力信号である白信号Ｗそのものではなく，第一の出力白信号Ｗｏｕｔ（１）に対して，３０％の減算を行ってクリップした後に，最大振幅を１に正規化するゲイン調整を行って，第一の白ブースト出力信号ｗｏｕｔ（１）を生成する。
【０１５８】
そして，逆ガンマ変換が行われたリニアＲＧＢ信号に対して，第一の白ブースト出力信号ｗｏｕｔ（１）を加算して１／２倍のゲイン調整を行った後にガンマ変換を行って，ＣＲＴモニタにシミュレーション表示を行うための表示ＲＧＢ信号を生成する。より具体的には，
入力赤信号Ｒｉｎに対して，第一の白ブースト出力信号ｗｏｕｔ（１）を加算してゲイン調整を行った後にガンマ変換を行って，ＣＲＴモニタに赤表示を行うための赤表示信号Ｒｄ（１）を生成し；
入力緑信号Ｇｉｎに対して，第一の白ブースト出力信号ｗｏｕｔ（１）を加算してゲイン調整を行った後にガンマ変換を行って，ＣＲＴモニタに緑表示を行うための緑表示信号Ｇｄ（１）を生成し；
入力青信号Ｂｉｎに対して，第一の白ブースト出力信号ｗｏｕｔ（１）を加算してゲイン調整を行った後にガンマ変換を行って，ＣＲＴモニタに青表示を行うための青表示信号Ｂｄ（１）を生成する。
【０１５９】
本実施例におけるカラー画像処理を行った結果を，前述した比較例と同様，（ＲＯ，ＧＯ，ＢＯ）＝（２５５，２５５，０），（２５５，２５５，５１），（２５５，２５５，１０２），（２５５，２５５，１５３），（２５５，２５５，２０４）である原ＲＧＢ信号に関して，Ｋ１＝０．３である場合およびＫ１＝０．４である場合について，本発明の実施例１におけるカラー画像処理のシミュレーション結果の説明図である図８に示す。
【０１６０】
（実施例２）
本実施例においては，黄の補色である青を抑制するカラー画像処理を含めて，上述した実施の形態におけるカラー画像処理を全て行う。
【０１６１】
すなわち，本実施例においても，前述した実施例１と同様に，白ブースト入力信号である白信号Ｗそのものではなく，第一の出力白信号Ｗｏｕｔ（１）に対して，３０％の減算を行ってクリップした後に，最大振幅を１に正規化するゲイン調整を行って，第一の白ブースト出力信号ｗｏｕｔ（１）を生成する。
【０１６２】
そして，本実施例においては，逆ガンマ変換のみならず，黄の補色である青を抑制するカラー画像処理が行われたリニアＲＧＢ信号に対して，第一の白ブースト出力信号ｗｏｕｔ（１）を加算して１／２倍のゲイン調整を行った後にガンマ変換を行って，ＣＲＴモニタにシミュレーション表示を行うための表示ＲＧＢ信号を生成する。より具体的には，
入力赤信号Ｒｉｎに対して，第一の白ブースト出力信号ｗｏｕｔ（１）を加算してゲイン調整を行った後にガンマ変換を行って，ＣＲＴモニタに赤表示を行うための赤表示信号Ｒｄ（１）を生成し；
入力緑信号Ｇｉｎに対して，第一の白ブースト出力信号ｗｏｕｔ（１）を加算してゲイン調整を行った後にガンマ変換を行って，ＣＲＴモニタに緑表示を行うための緑表示信号Ｇｄ（１）を生成し；
入力青信号Ｂｉｎそのものではなく，出力青信号Ｂｏｕｔに対して，第一の白ブースト出力信号ｗｏｕｔ（１）を加算してゲイン調整を行った後にガンマ変換を行って，ＣＲＴモニタに青表示を行うための青表示信号Ｂｄ（２）を生成する。
【０１６３】
本実施例におけるカラー画像処理を行った結果を，前述した実施例１と同様，（ＲＯ，ＧＯ，ＢＯ）＝（２５５，２５５，０），（２５５，２５５，５１），（２５５，２５５，１０２），（２５５，２５５，１５３），（２５５，２５５，２０４）である原ＲＧＢ信号に関して，（Ｋ１，Ｌ１）＝（０．３，１）である場合および（Ｋ１，Ｌ１）＝（０．４，１）である場合について，本発明の実施例２におけるカラー画像処理のシミュレーション結果の説明図である図９に示す。
【０１６４】
実施例１におけるシミュレーション結果（図８参照）においては，比較例におけるシミュレーション結果（図７参照）と比較して，赤表示信号Ｒｄ（１）は赤表示信号Ｒｄ（０）よりも大きくなっており，緑表示信号Ｇｄ（１）は緑表示信号Ｇｄ（０）よりも大きくなっており，青表示信号Ｂｄ（１）は青表示信号Ｂｄ（０）よりも大きくなっている。このため，白に比べて黄が暗いと感じられてしまうことは，ほぼなくなる。
【０１６５】
ただし，Ｋ１＝０．３の場合については，（ＲＯ，ＧＯ，ＢＯ）＝（２５５，２５５，０）である原ＲＧＢ信号に関して，赤表示信号Ｒｄ（１）は赤表示信号Ｒｄ（０）と等しく，緑表示信号Ｇｄ（１）は緑表示信号Ｇｄ（０）と等しく，青表示信号Ｂｄ（１）は青表示信号Ｂｄ（０）と等しくなっている。このような具体例からも分かるように，白信号Ｗが小さい原ＲＧＢ信号に関しても効果を得るためには，所定の正の定数Ｋ１は当然ながらある程度大きい方が望ましい。
【０１６６】
もちろん，白を背景にして黄の対象物が配置されているような構図においても，同様である。より具体的には，白いテーブルクロスの上に黄色いレモンが配置されているような自然画においても，レモンの黄がテーブルクロスの白に対してくすんで暗く見えてしまうことが少なくなることを，本発明者は確認している。
【０１６７】
なお，実施例２におけるシミュレーション結果（図９参照）においては，（ＲＯ，ＧＯ，ＢＯ）＝（２５５，２５５，０）である原ＲＧＢ信号以外の原ＲＧＢ信号に関しては，実施例１におけるシミュレーション結果（図８参照）と比較して，青表示信号Ｂｄ（２）は青表示信号Ｂｄ（１）よりも小さくなっている。このため，黄が白っぽくなって薄く見えてしまうことも，ほぼなくなる。
【産業上の利用可能性】
【０１６８】
本発明にかかるカラー画像処理装置は，たとえば，赤表示と緑表示と青表示と白表示とを利用するカラー画像表示において黄が暗く見えてしまうといった色の見え方の違和感を低減することができ，有用である。
【図面の簡単な説明】
【０１６９】
【図１】本発明の実施の形態のカラー画像処理装置の，各信号の信号値が矩形の縦方向の辺の長さにとられた擬似的な柱状グラフによる原理の説明図（その１）
【図２】本発明の実施の形態におけるカラー画像処理装置のブロック図
【図３】本発明の実施の形態のカラー画像処理装置の，各信号の信号値が矩形の縦方向の辺の長さにとられた擬似的な柱状グラフによる原理の説明図（その２）
【図４】本発明の実施の形態におけるカラー画像処理装置の部分ブロック図（その１）
【図５】本発明の実施の形態におけるカラー画像処理装置の部分ブロック図（その２）
【図６】本発明の実施の形態における四色カラーホイール１５とＤＬＰパネル１６の説明図
【図７】本発明の比較例におけるカラー画像処理のシミュレーション結果の説明図
【図８】本発明の実施例１におけるカラー画像処理のシミュレーション結果の説明図
【図９】本発明の実施例２におけるカラー画像処理のシミュレーション結果の説明図
【図１０】従来のカラー画像処理装置のブロック図
【図１１】従来の液晶画素５の説明図
【図１２】従来のカラー画像処理装置の，各信号の信号値が矩形の縦方向の辺の長さにとられた擬似的な柱状グラフによる原理の説明図
【符号の説明】
【０１７０】
１  赤画素
２  緑画素
３  青画素
４  白画素
５  液晶画素
１００  最小値検出器
２０１  減算器
３０２  減算器
４１２  最小値検出器
５１２  乗算器
６１２  加算器
７０３  乗算器
８０３  乗算器
９０３  減算器
１０００  白信号生成回路
２０１２  黄信号生成回路
３０１２  第一の出力白信号生成回路
４００３  出力青信号生成回路
２０２  減算器
３０３  減算器
４２３  最小値検出器
５２３  乗算器
６２３  加算器
７０１  乗算器
８０１  乗算器
９０１  減算器
２０２３  シアン信号生成回路
３０２３  第二の出力白信号生成回路
４００１  出力赤信号生成回路
２０３  減算器
３０１  減算器
４３１  最小値検出器
５３１  乗算器
６３１  加算器
７０２  乗算器
８０２  乗算器
９０２  減算器
２０３１  マゼンタ信号生成回路
３０３１  第三の出力白信号生成回路
４００２  出力緑信号生成回路
【図１】
0004644602.tif 000002
【図２】
0004644602.tif 000003
【図３】
0004644602.tif 000004
【図４】
0004644602.tif 000005
【図５】
0004644602.tif 000006
【図６】
0004644602.tif 000007
【図７】
0004644602.tif 000008
【図８】
0004644602.tif 000009
【図９】
0004644602.tif 000010
【図１０】
0004644602.tif 000011
【図１１】
0004644602.tif 000012
【図１２】
0004644602.tif 000013